(57)【特許請求の範囲】
【請求項１】
台紙（１）と、前記台紙（１）の上端に形成した凸部（２）と、前記凸部（２）に設けた吊下げ部（４）と、前記凸部（２）を挟んで左右の前記台紙（１）の上縁からなる肩部（３、３）と、前記台紙（１）の下部前方へ突出した止め部（５）と、前記止め部（５）と肩部（３、３）の間の前記台紙（１）の斜め前方へ突出可能な左右一対の襟フラップ（９、９）とからなるスカーフ用商品陳列用ハンガーであって、
上記襟フラップ（９）は、上記台紙（１）にＴ字形の切れ目（８）を設け、そのＴ字形の切れ目（８）における上側両端と下端を結んでできる２つの線分を各々の斜辺とする左右一対の直角三角形を、その各斜辺を折り目（８ａ）にして折り曲げたことによって、形成されたものであり、
上記スカーフ（Ｓ）の中央部を前記凸部（２）の裏面に当ててから、そのスカーフ（Ｓ）の両端部を前記両肩部（３、３）を越えて前記台紙（１）の前面にそれぞれ垂らして上記止め部（５）でもって保持するとともに、前記折り目（８ａ）を介し前記襟フラップ（９、９）を突出させて開くことにより、前記スカーフ（Ｓ）の前記肩部（３、３）から前記止め部（５）に至る部分が横に押し広げられることを特徴とする商品陳列用ハンガー。
【発明の詳細な説明】
【０００１】
【発明の属する技術分野】
この発明は、スカーフやネクタイなどの服飾品を陳列する際に用いる商品陳列用ハンガーに関する。
【０００２】
【従来の技術】
ファッションブティックやデパートの洋服売り場において、スカーフ、ネクタイやマフラーなどの服飾品を陳列する際、店内に配置された陳列棚やテーブルの上に並べたり、或いは、ハンガーを用いて吊り下げたりしている。
【０００３】
従来のハンガーは、左右に延びる横棒と、その横棒の中央に取り付けた吊下げ部からなる。このハンガーにスカーフを掛ける時は、吊下げ部と横棒との付け根にスカーフが２つに折れた状態にして掛け、そのまま垂れ下げている。
【０００４】
【発明が解決しようとする課題】
しかしながら、上記の場合、スカーフはハンガーに止められているわけではないので、ハンガーが揺れるとスカーフが次第にずれ出し、最後にはハンガーから落ちることがある。
【０００５】
また、スカーフの両端部を軽量で小さな装飾リングに通すことがあるが、この装飾リングを付けた状態でハンガーに吊り下げておくと、たとえスカーフが床に落ちなくても同じ商品である装飾リングが抜け落ちてしまったり、或いは、店員が気づかないうちにスカーフを残してその装飾リングだけを抜き取られてしまうこともある。
【０００６】
そこで、この発明の課題は、たとえハンガーが揺れてもスカーフや装飾リングが落ちないように、スカーフの両端部をハンガーに止めておける手段を備え、陳列効果の高い商品陳列用ハンガーを提供することである。
【０００７】
【課題を解決するための手段】
上記の課題を解決するために、この発明においては、台紙と、前記台紙の上端に形成した凸部と、前記凸部に設けた吊下げ部と、前記台紙の前方へ突出する止め部とによって商品陳列用ハンガーを形成したのである。
【０００８】
上記のハンガーを使用すれば、スカーフの両端部を止め部に止めて、スカーフがハンガーから落ちないようにすることができる。また、上述の装飾リングを付けて陳列するときは、先に装飾リングをスカーフの両端部に通してからスカーフの両端部を止め部に止めれば、装飾リングが下方にずれ落ちてきても止め部に当たって止まる。
【０００９】
【発明の実施の形態】
以下、この発明の実施形態を、添付した図面に基づいて説明する。
【００１０】
図１から図４は、第一の実施形態を示している。図１に示すように、台紙１は上下に長い板状材、例えば、折れ曲がりにくい厚さを有した厚紙や合成樹脂板によって形成されている。この台紙１の上端には凸部２が設けられている。この凸部２を挟んで左右に分かれた肩部３、３が、台紙１の上縁に形成されている。この肩部３、３は、末広がりに徐々に湾曲しながら左右に延びている。凸部２の上端部には吊下げ部４が設けられている。この吊下げ部４は、凸部２の左右いずれかの縦の縁から凸部２の中央付近まで及ぶ切込みを設けて、その切込みよりも上部に切り残された凸部２の一部が鉤形となるように形成されて、設けられている。あるいは、単なる丸穴を凸部２に形成したに過ぎない吊下げ部４や、別個の吊下げ用フックを取り付けて吊下げ部４としたものなど、使用する状況に応じて適当な吊り下げ手段を採れば良い。台紙１の下部には、止め部５が設けられている。止め部５は、図２に示すように、台紙１に設けた横に長いスリット６とテープ７からなる。このテープ７はスリット６の長さより十分に長く、その両端７ａ、７ａはスリット６の両端より外側の台紙１の裏面に固着されている。そして図３に示すように、テープ７をスリット６に通して台紙１の前面側に押し出すと、テープ７は前方に突出して略Ｃ字を描き、止め部５が形成される。
【００１１】
図１に示すように、凸部２と止め部５の間に襟フラップ９、９が設けられている。襟フラップ９、９は、台紙１に切られたＴ字形の切れ目８（図１の太い実線）の上側両端と下端を結んでできる２本の折り目８ａ、８ａを各斜辺とする直角三角形の形状をしており、この直角三角形を折り目８ａ、８ａで折り曲げて、図４に示すように、斜め前方に突出した状態に保持されている。襟フラップ９、９は開閉自在で、不要な時は閉じておくことができる。
【００１２】
以上のハンガーは、凸部２を人の首に、そして、肩部３、３を人の肩に想定して使用される。スカーフＳの中央部を凸部２の裏面に当ててから、スカーフＳの両端部を肩部３、３の上を越えさせて台紙１の前面に垂らす。このとき、スカーフＳの両端部は凸部２の横幅の長さに略等しい距離だけ離れた状態で、肩部３、３に掛かっている。そして、スカーフＳの両端部を合わせて止め部５に上から通すだけでよい。上述の装飾リングと一緒に陳列するときは、先に装飾リングをスカーフＳの両端部に通しておいてから止め部５に通す。装飾リングが下方にずれてきても止め部５に当たって止まる。
【００１３】
また、図４に示すように、襟フラップ９、９を開いて使用すれば、スカーフＳを横に押し広げながら、柔らかく膨らみを持たせることができる。
【００１４】
図５に示すように、スリット６を台紙１の縦方向に設けても良い。この場合、スカーフＳの両端部を途中でそれぞれ２つ折りにして、その折れた部分を先にして止め部５へ通すと、図６のように蝶結びを真似た飾り付けができる。
【００１５】
図７および図８は、第二の実施形態を示している。この場合の止め部５は、図示のようなリング１０とリング止め１１からなり、リング止め１１の台紙１に略直交する軸のまわりにリング１０が回転自在になっている。
【００１６】
なお、この発明のハンガーは、スカーフのほか、マフラーやネクタイの陳列にも使用することができる。
【００１７】
【発明の効果】
この発明によれば、次の効果を奏することができる。
【００１８】
スカーフをこの発明の商品陳列用ハンガーに掛けてスカーフの両端部を止め部に止めれば、たとえハンガーが大きく揺れてもスカーフの落下を防ぐことができる。
【００１９】
また、上述の装飾リングを付けて陳列するとき、装飾リングは止め部に止まるので、スカーフから抜け落ちないようにすることができる。
【００２０】
さらに、止め部の向きを縦方向にすれば、蝶結びに類似した飾り付けが可能となり、さらに商品価値を高めることができる。
【図面の簡単な説明】
【図１】第一の実施形態のハンガーを示す斜視図
【図２】止め部を裏面から見た一部拡大斜視図
【図３】止め部を前面から見た一部拡大斜視図
【図４】第一の実施形態の使用状況を示す斜視図
【図５】止め部の他の例を示す一部拡大斜視図
【図６】同上の使用状況を示す斜視図
【図７】第二の実施形態のハンガーを示す斜視図
【図８】同上の止め部の向きを変えた状態を示す一部拡大斜視図
【符号の説明】
１  台紙
２  凸部
３  肩部
４  吊下げ部
５  止め部
６  スリット
７  テープ
７ａ  テープの端部
８  切れ目
８ａ  折り目
９  襟フラップ
１０  リング
１１  リング止め
Ｓ  スカーフ
【図１】
0004177481.tif 000002
【図２】
0004177481.tif 000003
【図３】
0004177481.tif 000004
【図４】
0004177481.tif 000005
【図５】
0004177481.tif 000006
【図６】
0004177481.tif 000007
【図７】
0004177481.tif 000008
【図８】
0004177481.tif 000009